(57)【要約】      （修正有）【課題】経畝組織または／および斜子組織において、緯糸の並列配置を可能とした織物、特に緯糸２種と経糸で異色効果を有するシャンブレー織物に好適な織物を提供する。【解決手段】地組織に経畝組織または／および斜子組織からなるリップストップ組織を用い、かつ該経畝組織または／および斜子組織における緯糸が捻れることなく配置されるようにリップストップ部に緯糸を１本１本把持する組織を選択し配置してなる織物。【選択図】 なし【特許請求の範囲】
【請求項１】
地組織に経畝組織または／および斜子組織からなるリップストップ組織を用い、かつ該経畝組織または／および斜子組織における緯糸が捻れることなく配置されていることを特徴とする織物。
【請求項２】
リップストップ組織が１完全組織の繰り返しにより構成されていることを特徴とする請求項１記載の織物。
【請求項３】
経糸と緯糸が異なる色相であることを特徴とする請求項１または２記載の織物。
【請求項４】
経糸および緯糸に全て異なる色相の先染め糸を用いたことを特徴とする請求項１または２記載の織物。
【請求項５】
請求項１〜４のいずれかに記載の地組織に経畝組織または／および斜子組織からなるリップストップ組織を用いた織物からなるシャンブレー織物。
【発明の詳細な説明】
【技術分野】
【０００１】
本発明は、地組織が経畝組織または／および斜子組織からなるリップストップ組織を用い、かつ緯糸を捻れることなく配置させた織物に関するものであり、特に緯糸２種と経糸で異色効果を有するシャンブレー織物に適するものである。
【背景技術】
【０００２】
通常、最も単純なシャンブレー織物は、経糸と緯糸に別の色彩を有する糸条が用いられ構成されている。この場合、先染め糸を用いる方法と後染めで行う方法がある。後染めで行う場合は、例えば、経糸に分散染料で染色できる通常のポリエステル繊維糸条を用い、緯糸にはカチオン染料で染色できるカチオン可染ポリエステル繊維糸条を用いるように、経緯糸に異なった染料で染色できる糸条を選択し用いている。さらに、多色彩を有するシャンブレー織物とする場合には、経糸に２種類の異なる色彩の糸条を用い、緯糸には経糸と異なった色彩を有する糸条を選択し、配置する方法が提案されている（非特許文献１参照）。また、近年では、使用する糸条の色彩を規定し、玉虫色色彩を呈する織物が提案されている（特許文献１参照）。
【非特許文献１】「内外織物組織及び製造学」昭和１３年１月２２日発行、吉田善一著
【特許文献１】特許第３４６３１６７号公報
【発明の開示】
【発明が解決しようとする課題】
【０００３】
しかしながら、これらの提案は、経糸を複数本並列に配置し、緯糸は１種類とした織物の提案であり、緯糸を複数本並列配置とする方法は提案されていない。通常、畝組織において、緯糸を２本または複数本並列配置させようとしても、織機上で同口に複数本の緯糸を挿入することになるため、糸条の撚トルクや緯糸挿入時の乱れにより、複数本の緯糸並列配置することができず、整ったシャンブレー織物を作ることが不可能である。すなわち、単純な緯畝組織では、緯糸を複数本並列に配置することができない。
【０００４】
そこで、本発明の目的は、織物組織を検討し、畝組織において、緯糸を複数本並列に配置させることができる織物を提供することにある。本発明の他の目的は、畝組織を用いた異色効果を有するシャンブレー織物を提供することにある。
【課題を解決するための手段】
【０００５】
本発明の織物は、地組織に経畝組織または／および斜子組織からなるリップストップ組織を用い、かつ該経畝組織または／および斜子組織における緯糸が捻れることなく配置されていることを特徴とする織物である。
【０００６】
本発明の織物の好ましい態様によれば、前記のリップストップ組織は１完全組織の繰り返しにより構成されているものである。
【０００７】
本発明の織物の好ましい態様によれば、前記の織物は、経糸と緯糸が異なる色相のものである。
【０００８】
本発明の織物の好ましい態様によれば、前記の織物は、経糸および緯糸に全て異なる色相の先染め糸を用いものである。
【０００９】
本発明の織物の好ましい態様によれば、前記の織物は、地組織に経畝組織または／および斜子組織からなるリップストップ組織を用いたシャンブレー織物である。
【発明の効果】
【００１０】
本発明によれば、畝組織において、緯糸の並列配置を可能とした織物を得ることができ、特に多色の異色効果を有するシャンブレー調の織物を得ることができる。さらには緯糸を並列配置することで捻れによる乱反射を防止し織物表面の光沢を均一化させることができる。
【発明を実施するための最良の形態】
【００１１】
上記課題を解決するため、本発明では経畝組織または／および斜子組織を地組織とするリップストップ組織を用いるものである。通常リップストップ組織は、地組織に平組織を用い、リップストップ部組織を緯畝としたり、もしくは地組織よりも繊度の太い糸を用い、格子柄を持たせ、その意匠性または織物の引き裂き強力を上げるために用いられる。図１は、そのようなリップストップ組織を用いた織物の組織図である。
【００１２】
しかしながら、本発明では、緯糸を並列配置させるため、変形リップストップ組織を用いる。まず、変形リップストップ組織について図面に基づいて説明する。図２〜図４は、変形リップストップ組織の地組織である畝組織を例示説明するための組織図である。
【００１３】
本発明の織物では、地組織に経畝組織または／および斜子組織を用いる。図２に示す経畝組織であれば、シャンブレー織物の場合、経糸に１色、緯糸に２色の糸を用いることができる。また、図３に示す斜子組織であれば、経糸と緯糸に、それぞれ２色、合計４色の糸を用いることができる。また、畝組織で緯糸を２本ではなく、図４に示すように複数本とすることで、より多くの緯糸を並列配置することもできる。地組織はこれら畝組織を用途、意匠性により適宜組み合わせて使用しても良い。
【００１４】
しかしながら、地組織に経畝組織または／および斜子組織を用いるだけでは緯糸を並列配置させることが難しいため、本発明では、通常とは異なりリップストップ部の組織を経畝組織に組み合わせた変形リップストップ組織を用いる。本組織に置いてリップストップ部分の組織は基本的に平組織とすることが好ましい。リップストップ組織を平組織とすることにより、緯糸の捻れを防止し、地組織部分で緯糸並列配置を実現することができる。
ただしリップストップ組織が平組織の場合は、その交錯点のみ平織ではなく畝組織とし織物係数を下げてやっても良い。図５は、地組織に斜子組織と経畝組織を用いた本発明の織物を例示する組織図である。図５の（ａ）は、地組織に斜子組織を用い、かつリップストップ部に平組織を用いた場合であり、また、図５の（ｂ）は、地組織に経畝組織を用い、かつリップストップ部に平組織を用いた場合の一例であり、それぞれ、経糸Ａ、Ｂと緯糸Ａ、Ｂの組み合わせで示されている。
【００１５】
その他、本発明で用いられるリップストップ組織は、ツイル組織その他の組織でも良い。リップストップ部の組織は、緯糸の捻れを止めるためのものであり、例えば、２／１ツイルであればリップストップ部を３本で構成し、３／１ツイルであれば４本で構成するように１完全組織でリップストップ部を構成し、緯糸を１本１本保持する効果があれば組織を問うことはない。
【００１６】
図６は、地組織に経畝組織を用い、かつリップストップ部に２／１ツイル組織を用いた織物を例示する組織図であり、同様に、経糸Ａ、Ｂと緯糸Ａ、Ｂの組み合わせで示されている。織物組織は前述考えに基づいて作られていれば、例に挙げた組織にこだわることはない。
【００１７】
リップストップ部の間隔は、その糸繊度と密度等により適宜選択することができる。リップ部の間隔が広すぎると地組織部分で糸の捻れが発生するため、本発明の目的を達成できなくなるため、リップストップ間隔は重要であり、好ましくはリップストップ部の間隔は１０ｃｍ以下であり、より好ましくは０．５ｃｍ以上５ｃｍ以下である。リップストップ間隔が１０ｃｍより大きくなると、緯糸を捻れることなく配置することが難しく、かつ衣服とした場合大柄となり一般的に好まれにくい。従って意匠性も加味すると、リップストップ間隔は５ｃｍ以下であることが好ましい。ただし、リップストップ間隔を０．５ｃｍ未満にするとリップストップ間隔が狭くなりすぎるため、特にシャンブレー織物にした場合異色性を損なうことがある。
【００１８】
また、リップストップ組織は、経緯両方に入れても良いが、ストライプ様に経方向のみに入れても緯を保持する効果に代わりがないため問題がない。ただし地組織部分に比べてリップストップ部分の組織係数が大きくなる場合、製織上リップストップ部の吊りが発生する可能性がある。そのため経緯リップストップ交差部で組織係数を調整できるリップ組織が好ましい。
【００１９】
ここで緯糸の並列配置とは、織物の同口に打ち込まれた２本または複数本の緯糸が捻れることなく織物となっていることを指す。
【００２０】
本発明の織物に使用される繊維素材に特に限定はなく、綿や麻等の天然繊維、ウール等の動物繊維、レーヨン等の再生繊維、アセテート等の半合成繊維、およびポリエステル繊維等の合成繊維等用いることができる。また、繊維形態も紡績糸、フィラメント等特に限定がなく、各種素材を混紡した紡績糸等も用いられる。
【００２１】
ただし撚りに関しては、強撚領域にすると糸のトルクが大きいため緯糸の並列配置が難しくなるためリップストップ間隔を狭くする。そのため風合い、意匠性を優先する場合、用途にもよるが無撚りから中撚域の糸を用いることが好ましい。
【００２２】
織物を製織する織機についても限定はなく、シャトル織機、レピア織機、ＡＪＬおよびＷＪＬ等用いることができる。ただし先染め糸を用いる場合、ＷＪＬでは水および乾燥により変色する可能性があるため、シャトル織機、レピア織機およびＡＪＬにて製織することが好ましい。
【００２３】
本発明の織物をシャンブレー織物に適用する場合、糸の色彩は任意に選択することができるが、可能であれば補色効果のない色彩を選択することが好ましい。補色効果のある色彩を選択すると、グレー様の色彩となり織物の色彩が暗く見える。特に、３色またはそれ以上の色彩の糸を用いる場合、補色効果のない色彩を選択することが好ましい。
【００２４】
本発明のシャンブレー織物は、婦人用途を代表する一般アウター衣料や、カーテン、鞄等資材等に好適である。
【実施例】
【００２５】
次に、実施例により本発明の織物について詳しく説明する。なお、緯糸の並列配置の確認は、織物の任意の場所５個所を適当な拡大鏡を用い、緯糸に沿って５ｃｍ分目視にて緯糸の捻れ有無を確認した。
【００２６】
［実施例１］
経糸に総繊度５６デシテックス、３６フィラメントのポリエステルフィラメントを用い、緯糸に総繊度８４デシテックス、３６フィラメントのポリエステルフィラメントを用い、図５（ａ）に示す組織のリップストップ間隔を３ｃｍとなる様地組織部分をリピートさせ、生機密度１４３×１２０本／インチの織物を作成した。緯糸の配列状態を確認したところ、捻れがない状態であった。
【００２７】
［実施例２］
実施例１と同じポリエステルフィラメントを経糸と緯糸に用いて、図５（ｂ）に示す組織を用いた織物を作成した。なおリップストップ間隔も実施例１と同様３ｃｍとなるように地組織部分のリピートさせ、生機密度は１３０×１２０本／インチとした。緯糸の配列状態を確認したところ捻れがない状態であった。
【００２８】
［実施例３］
実施例１と同じポリエステルフィラメントを経糸と緯糸に用いて、図６に示す組織を用いた織物を作成した。なおリップストップ間隔も実施例１と同様３ｃｍとなるように地組織部分のリピートさせ、生機密度は１４３×１２０本／インチとした。緯糸の配列状態を確認したところ捻れがない状態であった。
【００２９】
［実施例４］
オレンジ、黄色、ピンクおよび空色にそれぞれ先染めを行った実施例１と同じポリエステルフィラメントを経糸と緯糸に用い、図５（ａ）に示す組織を用いた織物を作成した。なお、経糸にはオレンジと黄色を、また、緯糸にピンクと空色を各１本交互で配置した。また、リップストップ間隔は実施例１と同様３ｃｍとなるように地組織をリピートさせ、生機密度を１６０×１１５本／インチとした。緯糸の配列状態を確認したところ捻れがない状態であった。また異色性を目視にて確認すると、見る角度により色彩の異なるシャンブレー織物であった。
【００３０】
［比較例１］
実施例１と同じポリエステルフィラメントを経糸と緯糸に用い、図２に示す経畝組織の織物を作成した。実施例２と同様、生機密度は１３０×１２０本／インチとした。緯糸の配置状態を確認したところ、ひねりが２個所発生していた。
【００３１】
［比較例２］
実施例１と同じポリエステルフィラメントを経糸と緯糸に用い、図５（ｂ）に示す組織の織物を作成した。なおリップ間隔は４０ｃｍとなるように地組織部分のリピートさせ、生機密度は実施例２と同様１３０×１２０本／インチとした。緯糸の配置状態を確認したところ、比較例２と同様ひねりが２個所発生しており、リップ組織の効果がなかった。
【産業上の利用可能性】
【００３２】
本発明の織物は、地組織に経畝組織または／および斜子組織からなるリップストップ組織を用い、そして該経畝組織または／および斜子組織における緯糸が捻れることなく配置されるようにリップストップ部を構成する。その際、該経畝組織または／および斜子組織において緯糸を複数本並列配置させることにより、該経畝組織または／および斜子組織を用いた異色効果を有するシャンブレー織物が得られる。
【図面の簡単な説明】
【００３３】
【図１】図１は、一般的なリップストップ組織を用いた織物の組織図である。
【図２】図２は、リップストップ組織を例示説明するための組織図である。
【図３】図３は、他のリップストップ組織を例示説明するための組織図である。
【図４】図４は、他のリップストップ組織を例示説明するための組織図である。
【図５】図５は、本発明のリップストップ組織を用いた織物の組織図である。
【図６】図６は、本発明のリップストップ組織を用いた他の織物の組織図である。
【図１】
2006257592.tif 000002
【図２】
2006257592.tif 000003
【図３】
2006257592.tif 000004
【図４】
2006257592.tif 000005
【図５】
2006257592.tif 000006
【図６】
2006257592.tif 000007